(57)【要約】【課題】可動操作されるプッシュスイッチの総数の増加を図りつつプッシュスイッチの操作性を向上する。【解決手段】プッシュスイッチ１３〜２７は、扇形状に散開して配設されている。扇形状の拡がり側（点Ｐとは反対側）の最遠方位置のプッシュスイッチ１３〜１７の接触操作面１３１〜１７１の面積は、扇形状の収束側（点Ｐ側）の最近所のプッシュスイッチ２３〜２７の接触操作面２３１〜２７１の面積よりも大きくしてある。プッシュスイッチ１３〜２７の接触操作面１３１〜２７１の面積は、扇形状の拡がり側ほど大きくしてある。【選択図】　　　図１
2004021745.tif 000002
【特許請求の範囲】
【請求項１】
可動操作されるプッシュスイッチを指でプッシュして情報入力を行うプッシュスイッチ型入力装置において、
複数の前記プッシュスイッチを扇形状に散開して配設し、前記扇形状の拡がり側の最遠方位置のプッシュスイッチの接触操作面の面積が前記扇形状の収束側の最近所のプッシュスイッチの接触操作面の面積よりも大きくなるようにし、前記拡がり側のプッシュスイッチの接触操作面の面積の大きさが前記収束側のプッシュスイッチの接触操作面の面積の大きさに対して同等以上となるようにしたプッシュスイッチ型入力装置。
【請求項２】
前記扇形状の前記拡がり側ほど前記プッシュスイッチの接触操作面の面積を大きくした請求項１に記載のプッシュスイッチ型入力装置。
【請求項３】
前記扇形状の周方向へ弧状に複数の前記プッシュスイッチを配列した請求項１及び請求項２のいずれか１項に記載のプッシュスイッチ型入力装置。
【請求項４】
複数の前記プッシュスイッチは、アームレストにおける載置面の前方に配設されており、複数の前記プッシュスイッチの接触操作面は、同一面上に配置されており、前記同一面は、前記載置面から前方へ向かうにつれて上り勾配となる面である請求項１乃至請求項３のいずれか１項に記載のプッシュスイッチ型入力装置。
【発明の詳細な説明】
【０００１】
【発明の属する技術分野】
本発明は、可動操作されるプッシュスイッチを用いたプッシュスイッチ型入力装置に関するものである。
【０００２】
【従来の技術】
特開平９−１０９８０２号公報には、車載機器（例えば、ナビゲーションシステム等）を操作するための操作装置が開示されている。この種の操作装置における複数のスイッチを配列した入力操作手段の例としては、可動操作されるプッシュスイッチを指でプッシュして情報入力を行う面走査型入力装置がある。
【０００３】
【発明が解決しようとする課題】
プッシュスイッチの配置や大きさは、プッシュスイッチの操作性に影響を与えるため、プッシュスイッチの配置や大きさを適正に設定する必要がある。プッシュスイッチの配置や大きさは、操作をする指（例えば、人差し指）の大きさや、プッシュスイッチの総数などを基準にして決定されることが多い。しかし、これらの基準のみでは、限られた範囲におけるプッシュスイッチの総数の増加を図りつつプッシュスイッチの操作性を更に向上することは難しい。
【０００４】
本発明は、可動操作されるプッシュスイッチの総数の増加を図りつつプッシュスイッチの操作性を向上することを目的とする。
【０００５】
【課題を解決するための手段】
そのために本発明は、可動操作されるプッシュスイッチを指でプッシュして情報入力を行うプッシュスイッチ型入力装置を対象とし、請求項１の発明では、複数の前記プッシュスイッチを扇形状に散開して配設し、前記扇形状の拡がり側の最遠方位置のプッシュスイッチの接触操作面の面積が前記扇形状の収束側の最近所のプッシュスイッチの接触操作面の面積よりも大きくなるようにし、前記拡がり側のプッシュスイッチの接触操作面の面積の大きさが前記収束側のプッシュスイッチの接触操作面の面積の大きさに対して同等以上となるようにした。
【０００６】
請求項２の発明では、請求項１において、前記扇形状の前記拡がり側ほど前記プッシュスイッチの接触操作面の面積を大きくした。
手首を付いて指でプッシュ面をプッシュする場合、プッシュ面に対する指の接触面積は、操作者から遠ざかるにつれて大きくなる。請求項１及び請求項２の発明におけるプッシュスイッチの可動操作面の面積の大きさ及び配置の設定は、限られた範囲におけるプッシュスイッチの総数の増加を図りつつスイッチの操作性を向上する上で有効である。
【０００７】
請求項３の発明では、請求項１及び請求項２のいずれか１項において、前記扇形状の周方向へ弧状に複数の前記プッシュスイッチを配列した。
複数の前記プッシュスイッチを弧状に配列する構成は、手首を付いて指を左右に移動させる操作動作に関して好適である。
【０００８】
請求項４の発明では、請求項１乃至請求項３のいずれか１項において、複数の前記プッシュスイッチは、アームレストにおける載置面の前方に配設し、複数の前記プッシュスイッチの接触操作面は、複数の前記プッシュスイッチの接触操作面は、同一面上に配置し、前記同一面は、前記載置面から前方へ向かうにつれて上り勾配となる面とした。
【０００９】
このような構成は、アームレストの載置面に手首を付いて遠方のプッシュスイッチをプッシュする際に、手前のプッシュスイッチを誤ってプッシュしないようにする上で有効である。
【００１０】
【発明の実施の形態】
以下、本発明を具体化した第１の実施の形態を図１〜図４に従って説明する。図１（ａ）に示すように、自動車内のアームレスト１１の前部の上にはキーボード１２が載置されている。アームレスト１１上の載置面１１１には運転席の運転者の肘や手首が載せられる。図１（ｂ）に示すキーボード１２上のプッシュスイッチ１３，１４，１５，１６，１７，１８，１９，２０，２１，２２，２３，２４，２５，２６，２７は、アームレスト１１の載置面１１１の前方に配設されている。プッシュスイッチ１３〜２７は、載置面１１１に運転者の腕部１
０を載置した状態で人差し指１０１によって走査可能な位置に配置されている。キーボード１２と載置面１１１との間には段差が設けられている。プッシュスイッチ１３〜２５の接触操作面１３１，１４１，１５１，１６１，１７１，１８１，１９１，２０１，２１１，２２１，２３１，２４１，２５１，２６１，２７１は、載置面１１１と平行な平面Ｓ上に位置している。プッシュスイッチ１３〜２５の接触操作面１３１〜２７１は、載置面１１１よりも下位位置にある。
【００１１】
運転席の前方には表示装置２８が設置されている。表示装置２８は、車載機器２９を操作するためのメニューを表示する。メニューは、プッシュスイッチ１３〜２７の数（本実施の形態では１５個）だけ用意されている。プッシュスイッチ１３〜２７をプッシュすると、このプッシュ情報が入力制御装置３０へ送られる。入力制御装置３０は、キーボード１２から送られるプッシュ情報に基づいて、プッシュしたプッシュスイッチ１３〜２７に対応するメニューを強調する制御を行う。この強調は、例えば色変更、明るさ増強等による。入力制御装置３０は、キーボード１２から送られるプッシュ情報に基づいて、プッシュしたプッシュスイッチ１３〜２７に対応するメニューで表される操作情報を車載機器２９に出力する。
【００１２】
プッシュスイッチ１３〜１７は、図１（ｂ）の点Ｐを中心とした円弧Ｆ１に沿って等間隔に配列されている。プッシュスイッチ１８〜２２は、点Ｐを中心とした円弧Ｆ２に沿って等間隔に配列されており、プッシュスイッチ２３〜２７は、点Ｐを中心とした円弧Ｆ３に沿って等間隔に配列されている。
【００１３】
プッシュスイッチ１３，１８，２３は、点Ｐを通る半径線Ｈ１に沿って配列されている。プッシュスイッチ１４，１９，２４は、点Ｐを通る半径線Ｈ２に沿って配列されており、プッシュスイッチ１５，２０，２５は、点Ｐを通る半径線Ｈ３に沿って配列されている。プッシュスイッチ１６，２１，２６は、点Ｐを通る半径線Ｈ４に沿って配列されており、プッシュスイッチ１７，２２，２７は、点Ｐを通る半径線Ｈ５に沿って配列されている。
【００１４】
プッシュスイッチ１３〜２７の接触操作面１３１〜２７１の形状は、いずれも長方形である。プッシュスイッチ１３〜１７の接触操作面１３１〜１７１の面積は、同じ大きさであり、接触操作面１３１〜１７１の面積重心ｇ１，ｇ２，ｇ３，ｇ４，ｇ５は、円弧Ｆ１と半径線Ｈ１〜Ｈ５との交点上に配置されている。プッシュスイッチ１８〜２２の接触操作面１８１〜２２１の面積は、同じ大きさであり、かつ接触操作面１３１〜１７１の面積よりも小さい。接触操作面１８１〜２２１の面積重心ｇ６，ｇ７，ｇ８，ｇ９，ｇ１０は、円弧Ｆ２と半径線Ｈ１〜Ｈ５との交点上に配置されている。プッシュスイッチ２３〜２７の接触操作面２３１〜２７１は、同じ大きさであり、かつ接触操作面１８１〜２２１の面積よりも小さい。接触操作面２３１〜２７１の面積重心ｇ１１，ｇ１２，ｇ１３，ｇ１４，ｇ１５は、円弧Ｆ３と半径線Ｈ１〜Ｈ５との交点上に配置されている。
【００１５】
円弧Ｆ１及び半径線Ｈ１，Ｈ５は、扇形状を形成する。円弧Ｆ１と円弧Ｆ２との間隔は、円弧Ｆ２と円弧Ｆ３との間隔よりも大きくしてある。半径線Ｈ１〜Ｈ５は、等角度間隔にしてある。
【００１６】
プッシュスイッチ１３〜２７の配設パターン及び接触操作面１３１〜２７１の面積の大きさの決定は、以下のようにして行われる。
図４に示すように、座席３１の左横に支持台３２及び透明な平板３３を置き、座席３１に座った状態で平板３３の上面３３１に左手の人差し指の第１関節より先の部分を載せて押圧する。この押圧力は、例えば３Ｎ程度となるようにする。平板３３の上面３３１を人差し指で押圧している状態を平板３３の下側からカメラで撮影し、上面３３１に対する人差し指の接触面積を計測する。図２（ａ）〜（ｅ）は、複数人の被験者（本実施の形態では１４人）のうちの１人に関する実験結果である。
【００１７】
図２（ａ）におけるａ１〜ａ１２は、支持台３２及び平板３３のいずれにも肘及び手首を付けないで上面３３１を人差し指で押接したときの上面３３１に対する人差し指の接触面を示す。この状態は、肩を動作支点とした第１の身体的拘束状態〈１〉である。
【００１８】
図２（ｂ）におけるｂ１〜ｂ１２は、図４に示す支持台３２上の×位置に肘の根元を載せ、かつ手首の左右動を自由として上面３３１を人差し指で押接したときの上面３３１に対する人差し指の接触面を示す。この状態は、肘を動作支点として手首の左右動を許容した第２の身体的拘束状態〈２〉である。
【００１９】
図２（ｃ）におけるｃ１〜ｃ１２は、図４に示す支持台３２上の×位置に肘の根元を載せ、かつ手首の左右動を禁止して上面３３１を人差し指で押接したときの上面３３１に対する人差し指の接触面を示す。この状態は、肘を動作支点として手首の左右動を禁止した第３の身体的拘束状態〈３〉である。
【００２０】
図２（ｄ）におけるｄ１〜ｄ１２は、平板３３上に手首を載せ、かつ手首の左右動を自由として上面３３１を人差し指で押接したときの上面３３１に対する人差し指の接触面を示す。この状態は、手首を動作支点とした第４の身体的拘束状態〈４〉である。
【００２１】
図２（ｅ）におけるｅ１〜ｅ１２は、平板３３上に手首を載せ、かつ手首の左右動を禁止して上面３３１を人差し指で押接したときの上面３３１に対する人差し指の接触面を示す。この状態は、手首を動作支点として手首の左右動を禁止した第５の身体的拘束状態〈５〉である。
【００２２】
図３（ａ）のグラフは、図２（ａ）〜（ｅ）における接触面ａ３，ａ７，ａ１１，ｂ３，ｂ７，ｂ１１，ｃ３，ｃ７，ｃ１１，ｄ３，ｄ７，ｄ１１，ｅ３，ｅ７，ｅ１１の接触位置と、これらの接触面の幅〔図２（ａ）にＨで一例を示す〕を正規化した正規化幅との関係を表すグラフである。正規化幅は、幅を人差し指の第１関節より先での最大幅Ｗで割った値である。
【００２３】
図３（ｂ）のグラフは、図２（ａ）〜（ｅ）における接触面ａ３，ａ７，ａ１１，ｂ３，ｂ７，ｂ１１，ｃ３，ｃ７，ｃ１１，ｄ３，ｄ７，ｄ１１，ｅ３，ｅ７，ｅ１１の接触位置と、これらの接触面の長さ〔図２（ａ）にＬで一例を示す〕を正規化した正規化長との関係を表すグラフである。正規化長は、長さを人差し指の第１関節より先での長さＴで割った値である。
【００２４】
図３（ｃ）のグラフは、図２（ａ）〜（ｅ）における接触面ａ３，ａ７，ａ１１，ｂ３，ｂ７，ｂ１１，ｃ３，ｃ７，ｃ１１，ｄ３，ｄ７，ｄ１１，ｅ３，ｅ７，ｅ１１の接触位置と、これらの接触面の接触面積を正規化した正規化面積との関係を表すグラフである。正規化面積は、接触面積を面積（Ｗ×Ｔ）で割った値である。
【００２５】
図３（ａ），（ｂ），（ｃ）における横軸の接触位置は、人差し指１０１が支持台３２から最も遠い位置に延ばされたときの接触面における面積重心の位置からの距離である。●は、接触面ａ３，ａ７，ａ１１に対応した実測結果であり、○は、接触面ｂ３，ｂ７，ｂ１１に対応した実測結果である。◇は、接触面ｃ３，ｃ７，ｃ１１に対応した実測結果であり、□は、接触面ｄ３，ｄ７，ｄ１１に対応した実測結果である。△は、接触面ｅ３，ｅ７，ｅ１１に対応した実測結果である。
【００２６】
プッシュスイッチ１３〜２７の配設パターン及び接触操作面１３１〜２７１の面積の大きさの決定は、図２（ｄ）における接触面ｄ１〜ｄ１２の接触位置と接触面積とを考慮して行われている。
【００２７】
なお、図４における平板３３上の曲線Ｅ１は、第１の身体的拘束状態〈１〉での人差し指１０１の移動限界を表し、曲線Ｅ２は、第２の身体的拘束状態〈２〉での人差し指１０１の移動限界を表す。曲線Ｅ３は、第３の身体的拘束状態〈３〉での人差し指１０１の移動限界を表し、曲線Ｅ４は、第４の身体的拘束状態〈４〉での人差し指１０１の移動限界を表す。曲線Ｅ５は、第５の身体的拘束状態〈５〉での人差し指１０１の移動限界を表す。曲線Ｅ１，Ｅ２，Ｅ３，Ｅ４，Ｅ５は、被験者１４人のうちのいずれか１人の実験結果を表す。
【００２８】
第１の実施の形態では以下の効果が得られる。
（１−１）図２（ａ），（ｂ），（ｃ），（ｄ），（ｅ）及び図３（ａ），（ｂ），（ｃ）の実験結果から明らかなように、平板３３の上面３３１に対する接触状態（接触位置及び接触面積）は、身体的拘束状態〈１〉，〈２〉，〈３〉，〈４〉，〈５〉によって異なる。例えば、身体的拘束状態が第１の身体的拘束状態〈１〉の場合、上面３３１に対する人差し指１０１の接触面の正規化幅、正規化長及び正規化面積は、いずれもあまり変化しない。しかし、身体的拘束状態が第４，５の身体的拘束状態〈４〉，〈５〉の場合には、上面３３１に対する人差し指１０１の接触面の正規化幅、正規化長及び正規化面積は、いずれも大きく変化する。即ち、第１の身体的拘束状態〈１〉の場合のスイッチの操作状態と、第４，５の身体的拘束状態〈４〉，〈５〉の場合の操作状態とは、大きく異なる。
【００２９】
図１（ｂ）のプッシュスイッチ１３〜２７の配設パターンは、アームレスト１１の上に手首を載せた状態でのプッシュスイッチに対する人差し指１０１の接触状態を考慮して、プッシュスイッチの操作性を高めるように決定されている。プッシュスイッチ１３〜２７は、扇形状に散開して配設されている。プッシュスイッチ１３〜１７は、扇形状の周方向へ弧状に配列されている。プッシュスイッチ１８〜２２及びプッシュスイッチ２３〜２７も扇形状の周方向へ弧状に配列されている。
【００３０】
扇形状の拡がり側（点Ｐとは反対側）の最遠方位置のプッシュスイッチ１３〜１７の接触操作面１３１〜１７１の面積は、プッシュスイッチ１８〜２２の接触操作面１８１〜２２１の面積よりも大きくしてある。プッシュスイッチ１８〜２２の接触操作面１８１〜２２１の面積は、扇形状の収束側（点Ｐ側）の最近所のプッシュスイッチ２３〜２７の接触操作面２３１〜２７１の面積よりも大きくしてある。
【００３１】
図４に曲線Ｅ４で示す実験結果から明らかなように、手首を付いたときの人差し指１０１の移動限界は、略扇形状となる。又、図２（ｄ）及び図３（ａ），（ｂ），（ｃ）に示す実験結果から明らかなように、手首を付いて平板３３の上面３３１を人差し指でプッシュする場合、上面３３１に対する人差し指の接触面積は、操作者から遠ざかるにつれて大きくなる。従って、図１（ｂ）におけるプッシュスイッチ１３〜２７の配設パターン及び接触操作面１３１〜２７１の面積の大きさの設定は、限られた範囲内でのプッシュスイッチ１３〜２７の総数の増加を図りつつプッシュスイッチ１３〜２７の操作性を向上する上で有効である。
【００３２】
（１−２）図３（ａ），（ｂ），（ｃ）に示す実験結果から明らかなように、手首を付いて平板３３の上面３３１を人差し指でプッシュする場合、上面３３１に対する人差し指の接触面積の変化は、手前側に移るにつれて少なくなってゆく。この場合の接触面積の変化は、距離０における最大接触面積に対する他の距離位置における接触面積の割合の変化のことである。接触操作面１８１〜２２１の面積重心ｇ６〜ｇ１０と交差する円弧Ｆ２と、接触操作面２３１〜２７１の面積重心ｇ１１〜ｇ１５と交差する円弧Ｆ３との間隔は、接触操作面１３１〜１７１の面積重心ｇ１〜ｇ５と交差する円弧Ｆ１と円弧Ｆ２との間隔よりも小さくしてある。このような間隔の設定は、手首を付いて平板３３の上面３３１を人差し指でプッシュする場合の上面３３１に対する人差し指の接触面積の変化に適合している。従って、円弧Ｆ１〜Ｆ３間の間隔の設定は、プッシュスイッチ１３〜２７の操作性を向上する上で有効である。
【００３３】
（１−３）接触操作面１３１〜２７１を配置した平面Ｓと載置面１１１との間には段差が設けられており、平面Ｓは、載置面１１１よりも下位位置にある。このような段差構造は、プッシュスイッチ１３〜１７を人差し指１０１でプッシュする際に、プッシュスイッチ１８〜２７をプッシュしてしまうという操作ミスを防止する上で有効である。同様に、前記した段差構造は、プッシュスイッチ１８〜２２を人差し指１０１でプッシュする際に、プッシュスイッチ２３〜２７をプッシュしてしまうという操作ミスを防止する上で有効である。
【００３４】
本発明では、図５〜図７にそれぞれ示す別の実施の形態も可能である。第１の実施の形態と同じ構成部には同じ符号が用いてある。
図５の実施の形態では、荷重センサ３４がアームレスト１１の上面の前部に配設されている。荷重センサ３４の上面３４１は、手首を載せる載置面となっており、上面３４１に手首を載せたときと同様の荷重を荷重センサ３４に加えない場合には、プッシュスイッチ１３〜２７のプッシュによる情報入力は、無効となる。即ち、プッシュスイッチ１３〜２７のプッシュによる情報入力は、上面３４１に手首を載せたときと同様の荷重を荷重センサ３４に加えた状態でのみ有効となる。このような構成は、プッシュスイッチ１３〜２７を不用意にプッシュしたことによる誤操作を回避する上で有効である。
【００３５】
図６の実施の形態では、アームレスト１１Ａに取り付けられたキーボード１２は、アームレスト１１Ａの載置面１１１Ａに対して傾斜させてある。プッシュスイッチ１３〜２７の接触操作面１３１〜２７１を配置した平面Ｕは、載置面１１１Ａから前方へ向かうにつれて上り勾配となっている。キーボード１２の傾斜構成は、第１の実施の形態における（１−３）項と同様の効果をもたらす。即ち、載置面１１１Ａに対して平面Ｕを傾斜させた構成は、載置面１１１Ａに手首を付いて遠方のプッシュスイッチをプッシュする際に、手前のプッシュスイッチを誤ってプッシュしないようにする上で有効である。
【００３６】
図７の実施の形態では、複数のキーボード１２Ａ，１２Ｂ，１２Ｃが階段状に配置されている。キーボード１２Ａ，１２Ｂ，１２Ｃは、アームレスト１１Ｂの載置面１１１Ｂから前方へ向かうにつれて手前よりも上位位置となる。キーボード１２Ａには複数のプッシュスイッチ３５，３６，３７，３８が円弧に沿って配列されている。キーボード１２Ｂには複数のプッシュスイッチ３９，４０，４１，４２が円弧に沿って配列されており、キーボード１２Ｃには複数のプッシュスイッチ４３，４４，４５，４６が円弧に沿って配列されている。プッシュスイッチ３５〜４６は、上から見ると、第１の実施の形態の場合と同様に扇形状に散開して配設されたパターンとなっている。キーボード１２Ａ上のプッシュスイッチ３５〜３８の接触操作面３５１，３６１，３７１，３８１は、キーボード１２Ｂ上のプッシュスイッチ３９〜４２の接触操作面３９１，４０１，４１１，４２１よりも上位位置にある。キーボード１２Ｂ上のプッシュスイッチ３９〜４２の接触操作面３９１〜４２１は、キーボード１２Ｃ上のプッシュスイッチ４３〜４６の接触操作面４３１，４４１，４５１，４６１よりも上位位置にある。
【００３７】
接触操作面３５１〜４６１の階段状の配置構成は、第１の実施の形態における（１−３）項と同様の効果をもたらす。
本発明では、以下のような実施の形態も可能である。
【００３８】
（１）第１の実施の形態において、接触操作面１３１〜１７１の面積と接触操作面１８１〜２２１の面積とを同じ大きさにすること。
（２）第１の実施の形態において、接触操作面１８１〜２２１の面積と接触操作面２３１〜２７１の面積とを同じ大きさにすること。
【００３９】
（３）第１の実施の形態において、円弧Ｆ１，Ｆ２の間隔と円弧Ｆ２，Ｆ３の間隔とを同じにすること。
（４）第１の実施の形態において、円弧Ｆ１の円弧中心と、円弧Ｆ２の円弧中心又は円弧Ｆ３の円弧中心とを不一致にすること。
【００４０】
（５）第１の実施の形態において、円弧Ｆ２の円弧中心と円弧Ｆ３の円弧中心とを不一致にすること。
（６）第１の実施の形態において、円弧Ｆ１に沿って配列される複数のプッシュスイッチの個数を円弧Ｆ２に沿って配列されるプッシュスイッチの個数よりも少なくすること。
【００４１】
（７）第１の実施の形態において、円弧Ｆ２に沿って配列される複数のプッシュスイッチの個数を円弧Ｆ３に沿って配列されるプッシュスイッチの個数よりも少なくすること。
【００４２】
（８）第２の実施の形態において、平面Ｕの代わりに、接触操作面が配置される同一面を前方へ向かうにつれて上り勾配となる曲面とすること。
（９）プッシュスイッチの接触操作面の形状を円形状あるいは楕円形状とすること。
【００４３】
前記した実施の形態から把握できる請求項記載以外の発明について以下に記載する。
〔１〕請求項１乃至請求項４のいずれか１項において、手首を載せるための荷重センサを設け、前記荷重センサの前方に複数の前記プッシュスイッチを配設したプッシュスイッチ型入力装置。
【００４４】
【発明の効果】
本発明では、扇形状に散開して配設された複数のプッシュスイッチのうち、扇形状の拡がり側の最遠方位置のプッシュスイッチの接触操作面の面積が前記扇形状の収束側の最近所のプッシュスイッチの接触操作面の面積よりも大きく、かつ記拡がり側のプッシュスイッチの接触操作面の面積の大きさが前記収束側のプッシュスイッチの接触操作面の面積の大きさに対して同等以上となるようにしたので、可動操作されるプッシュスイッチの総数の増加を図りつつプッシュスイッチの操作性を向上し得るという優れた効果を奏する。
【図面の簡単な説明】
【図１】第１の実施の形態を示し、（ａ）は、ブロック図を組み込んだ簡略側面図。（ｂ）は、プッシュスイッチを示す平面図。
【図２】（ａ）は、第１の身体的拘束状態における人差し指の接触状態を示す平面図。（ｂ）は、第２の身体的拘束状態における差し指の接触状態を示す平面図。（ｃ）は、第３の身体的拘束状態における人差し指の接触状態を示す平面図。（ｄ）は、第４の身体的拘束状態における人差し指の接触状態を示す平面図。（ｅ）は、第５の身体的拘束状態における人差し指の接触状態を示す平面図。
【図３】（ａ）は、人差し指の接触状態を正規化幅と接触位置との関係で表したグラフ。（ｂ）は、人差し指の接触状態を正規化長と接触位置との関係で表したグラフ。（ｃ）は、差し指の接触状態を正規化面積と接触位置との関係で表したグラフ。
【図４】実験装置を示す平面図。
【図５】別の実施の形態を示す側面図。
【図６】別の実施の形態を示す斜視図。
【図７】別の実施の形態を示す斜視図。
【符号の説明】
１０１…指。１１，１１Ａ，１１Ｂ…アームレスト。１１１，１１１Ａ，１１１Ｂ…載置面。１３〜２７，３５〜４６…プッシュスイッチ。１３１〜２７１，３５１〜４６１…接触操作面。Ｓ，Ｕ…同一面としての平面。
【図１】
2004021745.tif 000003
【図２】
2004021745.tif 000004
【図３】
2004021745.tif 000005
【図４】
2004021745.tif 000006
【図５】
2004021745.tif 000007
【図６】
2004021745.tif 000008
【図７】
2004021745.tif 000009